(57)【要約】【課題】データの記録中に記録媒体の記録層の切り替えが起きることを回避することができる記録装置、当該装置の制御方法、及び制御プログラムを提供する。【解決手段】複数の記録層を含む光学式ディスクへデータを記録するＤＶＤビデオカメラにおいて、光学式ディスクに含まれる複数の記録層のそれぞれへデータを記録可能な記録再生データ処理回路Ｂ１と、複数の記録層のそれぞれの記録可能容量を算出するシステムコントローラＢ２と、当該算出された記録層毎の記録可能容量を表示する液晶パネルＶ１とを備え、システムコントローラＢ２はデータ記録中の記録層の記録可能容量が予め設定された閾値以下となったときに液晶パネルＶ１及びスピーカー部ＳＰ１を介して警告を発する（ステップＳ１０４〜ステップＳ１０６）。【選択図】図２
2007134002.tif 000002
【特許請求の範囲】
【請求項１】
複数の記録層を含む記録媒体へデータを記録する記録装置において、
前記記録媒体に含まれる複数の記録層のうち選択された記録層に対してデータを記録する記録手段と、
前記複数の記録層のそれぞれの記録可能容量を算出する記録可能容量算出手段と、
前記選択された記録層の記録可能容量が予め設定された閾値以下となったことに応じて警告を発する警告手段と
を備えることを特徴とする記録装置。
【請求項２】
前記選択された記録層の記録可能容量が予め設定された閾値以下となったときに、前記複数の記録層の中から前記閾値を越える量のデータの記録が可能な記録層を選択する選択手段を備えることを特徴とする請求項１記載の記録装置。
【請求項３】
前記表示手段は、前記記録層に記録されるデータのフォーマット毎に所定の形式で前記記録可能容量を表示することを特徴とする請求項１又は２記載の記録装置。
【請求項４】
前記閾値を設定する設定手段と、前記記録層に記録されるデータの圧縮率に応じて前記閾値を自動的に調整する調整手段とを備えることを特徴とする請求項１乃至３のいずれか１項記載の記録装置。
【請求項５】
前記設定手段は複数の閾値をリスト形式で表示することを特徴とする請求項１乃至４のいずれか１項記載の記録装置。
【請求項６】
前記警告手段は、音声による警告及び前記表示手段による所定の表示の警告の少なくともいずれか一方を実行することを特徴とする請求項１乃至５のいずれか１項記載の記録装置。
【請求項７】
複数の記録層を有する記録媒体に対してデータを記録する記録装置であって、
前記複数の記録層のうちの一つを選択し、当該選択された記録層に対してデータを記録する記録手段と、
前記複数の記録層のそれぞれの記録可能容量を検出する検出手段と、
前記データの記録開始を指示する指示手段と、
前記検出手段により検出された前記複数の記録層の記録可能容量に基づき、前記指示手段による記録開始の指示に応じて前記データを記録する記録層を選択する選択手段とを備えることを特徴とする記録装置。
【請求項８】
前記選択手段は、前記記録開始の指示の直前に選択されていた記録層の記録可能容量が所定の閾値以下であった場合、他の記録層を選択することを特徴とする請求項７記載の記録装置。
【請求項９】
前記選択手段は、前記記録開始の指示の直前に選択されていた記録層の記録可能容量が所定の閾値以下であった場合、他の記録層のうち記録可能容量が前記閾値よりも多い記録層の中から前記データを記録する記録層を選択することを特徴とする請求項８記載の記録装置。
【請求項１０】
複数の記録層を含む記録媒体へデータを記録する記録装置の制御方法において、
前記記録媒体に含まれる複数の記録層のそれぞれへデータを記録可能な記録層別記録工程と、
前記複数の記録層のそれぞれの記録可能容量を算出する層別記録可能容量算出工程と、
当該算出された記録層毎の記録可能容量を表示する表示工程と、
データ記録中の記録層の記録可能容量が予め設定された閾値以下となったときに警告を発する警告工程と
を備えることを特徴とする記録装置の制御方法。
【請求項１１】
複数の記録層を有する記録媒体に対してデータを記録する記録装置の制御方法であって、
前記複数の記録層のうちの一つを選択し、当該選択された記録層に対してデータを記録する記録工程と、
前記複数の記録層のそれぞれの記録可能容量を検出する検出工程と、
前記データの記録開始を指示する指示工程と、
前記検出工程により検出された前記複数の記録層の記録可能容量に基づき、前記指示工程による記録開始の指示に応じて前記データを記録する記録層を選択する選択工程と
を備えることを特徴とする記録装置の制御方法。
【請求項１２】
複数の記録層を含む記録媒体へデータを記録する記録装置で実行される制御プログラムにおいて、
前記記録媒体に含まれる複数の記録層のそれぞれへデータを記録可能な記録層別記録モジュールと、
前記複数の記録層のそれぞれの記録可能容量を算出する層別記録可能容量算出モジュールと、
当該算出された記録層毎の記録可能容量を表示する表示モジュールと、
データ記録中の記録層の記録可能容量が予め設定された閾値以下となったときに警告を発する警告モジュールと
を備えることを特徴とする制御プログラム。
【請求項１３】
複数の記録層を有する記録媒体に対してデータを記録する記録装置で実行される制御プログラムであって、
前記複数の記録層のうちの一つを選択し、当該選択された記録層に対してデータを記録する記録モジュールと、
前記複数の記録層のそれぞれの記録可能容量を検出する検出モジュールと、
前記データの記録開始を指示する指示モジュールと、
前記検出モジュールにより検出された前記複数の記録層の記録可能容量に基づき、前記指示モジュールによる記録開始の指示に応じて前記データを記録する記録層を選択する選択モジュールと
を備えることを特徴とする制御プログラム。
【発明の詳細な説明】
【技術分野】
【０００１】
本発明は、動画または静止画を記録媒体に記録することの可能な、カメラ一体型ＤＶＤレコーダ（ＤＶＤビデオカメラ）等の記録装置、当該装置の制御方法、及び制御プログラムに関する。
【背景技術】
【０００２】
従来より、ＤＶＤなどの光記録メディアに対して画像データを記録再生する装置が知られている。
【０００３】
また、近年では、記録用の光ディスクにおいても複数の記録層を有する光ディスクが提案されており、この様な複数の記録層を持つ光ディスクに対して画像データを記録再生する装置も提案されている（例えば、特許文献１参照）。
【０００４】
複数の記録層からなる光ディスクに対して画像データを記録する場合、まず、第１の記録層に記録を行い、第１の記録層の記録容量が無くなったところで第２の記録層への記録を行う。記録層が３層以上の場合、続いて、記録層の記録容量が無くなるごとに、第３層、第４層へと記録されていく。
【０００５】
このような複数の記録層からなる光ディスクの再生時には、各層毎に光ピックアップのフォーカス制御を行う必要がある。また、記録層毎にデータ記録密度が異なっている場合には、トラックピッチや反射率が異なるため、トラッキング制御とフォーカス制御における調整処理も各層毎に行う必要がある。
【０００６】
装置の起動時やディスクの装填時にはこれらの処理を行う必要があるため、再生可能な状態となるまでに時間がかかり、ユーザはその間待たされることになる。
【０００７】
また、これらの処理を再生中の層切替発生時に行うとすると、調整処理が終了するまで動画再生が一時中断することになる。
【０００８】
同様に、記録時においても、トラッキング制御とフォーカス制御における調整処理、又は最適レーザパワーの調整処理などを記録層が切り替わるたびに実行する必要があり、その間画像データの記録が中断することになる。
【０００９】
そこで、光ピックアップの調整中に入力された画像データをメモリに蓄積しておき、調整終了後、メモリに蓄積しておいたデータをディスクに書き込むことで、中断することなく画像データの記録を続けることができる。
【特許文献１】特開平１０−１３４３７５号公報
【発明の開示】
【発明が解決しようとする課題】
【００１０】
しかしながら、上述の如く記録層の切り換え時におけるピックアップの調整中に入力したデータを蓄積しておくためには高価な大容量のメモリが必要となるため、装置のコストアップにつながる。
【００１１】
民生用機器など、廉価な装置ではコストアップを極力さけるため、この様な大容量メモリを持つことは現実的ではなく、記録層の切り換えに伴う記録の中断を避けることはできないという問題がある。
【００１２】
本発明の目的は、上記点に鑑みなされたものであり、データの記録中に記録媒体の記録層の切り替えが起きることを回避することができる記録装置、当該装置の制御方法、及び制御プログラムを提供することにある。
【課題を解決するための手段】
【００１３】
上記目的を達成するため、請求項１の記録装置は、複数の記録層を含む記録媒体へデータを記録する記録装置において、前記記録媒体に含まれる複数の記録層のそれぞれへデータを記録可能な記録層別記録手段と、前記複数の記録層のそれぞれの記録可能容量を算出する層別記録可能容量算出手段と、当該算出された記録層毎の記録可能容量を表示する表示手段と、データ記録中の記録層の記録可能容量が予め設定された閾値以下となったときに警告を発する警告手段とを備えることを特徴とする。
【００１４】
請求項７の記録装置は、複数の記録層を有する記録媒体に対してデータを記録する記録装置であって、前記複数の記録層のうちの一つを選択し、当該選択された記録層に対してデータを記録する記録手段と、前記複数の記録層のそれぞれの記録可能容量を検出する検出手段と、前記データの記録開始を指示する指示手段と、前記検出手段により検出された前記複数の記録層の記録可能容量に基づき、前記指示手段による記録開始の指示に応じて前記データを記録する記録層を選択する選択手段とを備えることを特徴とする。
【００１５】
請求項１０の記録装置の制御方法は、複数の記録層を含む記録媒体へデータを記録する記録装置の制御方法において、前記記録媒体に含まれる複数の記録層のそれぞれへデータを記録可能な記録層別記録工程と、前記複数の記録層のそれぞれの記録可能容量を算出する層別記録可能容量算出工程と、当該算出された記録層毎の記録可能容量を表示する表示工程と、データ記録中の記録層の記録可能容量が予め設定された閾値以下となったときに警告を発する警告工程とを備えることを特徴とする。
【００１６】
請求項１１の記録装置の制御方法は、複数の記録層を有する記録媒体に対してデータを記録する記録装置の制御方法であって、前記複数の記録層のうちの一つを選択し、当該選択された記録層に対してデータを記録する記録工程と、前記複数の記録層のそれぞれの記録可能容量を検出する検出工程と、前記データの記録開始を指示する指示工程と、前記検出工程により検出された前記複数の記録層の記録可能容量に基づき、前記指示工程による記録開始の指示に応じて前記データを記録する記録層を選択する選択工程とを備えることを特徴とする。
【００１７】
請求項１２の制御プログラムは、複数の記録層を含む記録媒体へデータを記録する記録装置で実行される制御プログラムにおいて、前記記録媒体に含まれる複数の記録層のそれぞれへデータを記録可能な記録層別記録モジュールと、前記複数の記録層のそれぞれの記録可能容量を算出する層別記録可能容量算出モジュールと、当該算出された記録層毎の記録可能容量を表示する表示モジュールと、データ記録中の記録層の記録可能容量が予め設定された閾値以下となったときに警告を発する警告モジュールとを備えることを特徴とする。
【００１８】
請求項１３の制御プログラムは、複数の記録層を有する記録媒体に対してデータを記録する記録装置で実行される制御プログラムであって、前記複数の記録層のうちの一つを選択し、当該選択された記録層に対してデータを記録する記録モジュールと、前記複数の記録層のそれぞれの記録可能容量を検出する検出モジュールと、前記データの記録開始を指示する指示モジュールと、前記検出モジュールにより検出された前記複数の記録層の記録可能容量に基づき、前記指示モジュールによる記録開始の指示に応じて前記データを記録する記録層を選択する選択モジュールとを備えることを特徴とする。
【発明の効果】
【００１９】
本願発明によれば、記録媒体が有する複数の記録層のそれぞれの記録可能容量が算出され、データ記録中の記録層の記録可能容量が予め設定された閾値以下となったことに応じて警告が発せられるので、ユーザが記録層の切替ポイントを意識しながら撮影を行い、重要なシーンに記録層の切替ポイントが重なることを防ぐことができる。この結果、データの記録中に記録媒体（光学式ディスク）の記録層の切り替えが起きることを回避することができる。
【発明を実施するための最良の形態】
【００２０】
以下、図面を参照して本発明の実施の形態を説明する。
【００２１】
図１は、本発明の第１の実施の形態にかかる記録装置の構成を示す図である。
【００２２】
本発明の実施の形態にかかる記録装置は、例えばＤＶＤビデオカメラ１００である。
【００２３】
ＤＶＤビデオカメラ１００は、被写体を映像信号に変換する撮像部Ｃ１と、カメラ映像信号処理回路Ｂ４において処理された映像信号の圧縮、光学式ディスクへの記録、光学式ディスクから再生されたデータの処理を行う記録再生データ処理回路Ｂ１と、各部の制御を行うシステムコントローラＢ２と、画面表示用の文字信号発生回路Ｂ３と、撮像部Ｃ１の映像信号の処理を行うカメラ映像信号処理回路Ｂ４と、データの光学式ディスクへの書き込みを行う光学式ディスクドライブ部Ｄ１と、撮影動画像の表示や再生動画像の表示を行う液晶パネルＶ１と、音および音声の出力を行うスピーカー部ＳＰ１と、映像信号の入出力を行う映像信号入出力端子Ｌ１と、音声信号の入出力を行う音声信号入出力端子Ｌ２と、動画像の記録開始および記録停止を指示する動画記録制御スイッチＳＷ１と、光学式ディスクに含まれる複数の記録層のうち、実際にデータを書き込む記録層を選択するＳＷ２と、後述するメニュー画面を表示／非表示するＳＷ３と、メニュー画面の内容を選択するためのＳＷ４とを備えている。なお、実際にデータを書き込む記録層を選択する方法は、ユーザがＳＷ２を押下することでデータを書き込む記録層を選択する方法、又はシステムコントローラＢ２が残り記憶容量が一番多い記録層を優先的に自動的に選択する方法がある。
【００２４】
図２は、図１のシステムコントローラＢ２で実行される処理を示すフローチャートである。
【００２５】
まず、ステップＳ１０１では、システムコントローラＢ２が、記録開始操作が行われたか否かの判定を行う。記録開始操作は、記録停止状態で動画記録制御スイッチＳＷ１が押下された場合に有効であると判定される。記録開始操作が行われた場合には、ステップＳ１０２に進み、行われなかった場合は上記判定を繰り返し行う。
【００２６】
ステップＳ１０２では、光学式ディスクドライブ部Ｄ１が光学式ディスクに対して動画像データの記録を行う。光学式ディスクに記録されるデータは、撮像部Ｃ１によって撮像され、且つカメラ映像信号処理回路Ｂ４によって処理された映像信号である。この映像信号は、記録再生データ処理回路Ｂ１によって動画像データに変換された後、光学式ディスクドライブＤ１へと入力され、光学式ディスクに記録される。一定時間光学式ディスクへの記録が行われた後、ステップＳ１０３へと進む。動画像データのフォーマットは、ＲＭ、ＷＭＶ、ＡＶＩ、ＭＰＥＧ２、ＭＰＥＧ４など様々な種類が考えられるが、本実施の形態では、フォーマットの種類は限定しない。光学式ディスクに記録されるデータは、映像入出力端子Ｌ１及び音声入出力端子Ｌ２からそれぞれ入力された映像信号及び音声信号をもとにした動画像データであってもよい。この場合、映像入出力端子Ｌ１及び音声入出力端子Ｌ２から入力された信号は、記録再生データ処理回路Ｂ１によって動画像データに変換された後、光学式ディスクドライブＤ１へと入力され、光学式ディスクに記録される。
【００２７】
ステップＳ１０３では、システムコントローラＢ２は記録中の光学式ディスクに未記録の記録層があるか否かを判別する。未記録の記録層が無い場合、記録中の記録層が最終層となるので、記録層の切替ポイントは以降の処理に存在せず、ユーザへの警告も行わない。そのため、ステップＳ１０７へと進む。未記録の記録層が存在する場合には、記録層の切替ポイントも以降の処理に存在することとなり、ユーザに警告を行うか否かを判断するため、ステップＳ１０４へと進む。なお、ステップＳ１０３では、未記録の記録層があるか否かを判別する際、記録層毎の残り記録容量の計算を行い、液晶パネルＶ１に各層毎の残り記録容量を表示する。図３（Ａ）、（Ｂ）はその例示であり、液晶パネル右上に２行に分かれ、それぞれ光学式ディスクの第１層及び第２層の残り記録容量を表示している。図３（Ａ）では、残り記憶容量として各記録層の実際の残り記憶容量（例えば、１ギガバイト、４ギガバイト）を表示しているが、図３（Ｂ）のように残り記憶容量として記録可能時間の表示をしてもよく、さらに記録可能時間と残り記憶容量を併記してもよい。また、残り記憶容量と記録可能時間は、ＲＭ、ＷＭＶ、ＡＶＩ、ＭＰＥＧ２、ＭＰＥＧ４などの様々な種類の記録フォーマット毎に適した表示形式で表示する。例えば、ＷＭＶフォーマットの動画像データを光学式ディスクに記録する際には、各記録層の実際の残り記憶容量を表示し、ＭＰＥＧ２又はＭＰＥＧ４フォーマットの動画像データを光学式ディスクに記録する際には、記録可能時間を表示し、ＡＶＩフォーマットの動画像データを光学式ディスクに記録する際には、記録可能時間と残り記憶容量を併記で表示するようにしてもよい。
【００２８】
ステップＳ１０４では、システムコントローラＢ２は、ステップＳ１０２で動画記録が行われた記録層の残り記録容量の計算を行い、ステップＳ１０５へと進む。なお、このステップＳ１０４では、液晶パネルＶ１は、ステップＳ１０２で動画記録を行った記録層の残り記録容量の表示を更新する。
【００２９】
ステップＳ１０５では、ステップＳ１０４で計算された残り記録容量に対して、予め設定されている閾値との比較を行い、残り記録容量が閾値以下となった場合にはステップＳ１０６へ進み、残り記録容量が閾値を越えた場合にはステップＳ１０７へと進む。ここで用いられる閾値は、ＤＶＤビデオカメラ１００が固定値として持っていてもよく、ユーザが図１のＳＷ３により設定可能であっても良い。この場合には、ユーザが図１のＳＷ３を押下することにより、液晶パネルＶ１には図５のメニュー画面が表示される。図５のメニュー画面では、閾値がリスト形式で表示されている。ユーザは、ＳＷ４を繰り返し押下することで、４ＧＢ→２ＧＢ→１ＧＢ→５００ＭＢ→…→１００ＭＢ→４ＧＢというように閾値を切り替えることができる。選択されている閾値は反転表示される。ユーザは所望の閾値が反転表示されているときに、図１のＳＷ３を押下することで、メニュー表示は消えて、反転表示されていた閾値が設定される。
【００３０】
また、システムコントローラＢ２が動画のビットレート等の動画像データの圧縮率に応じて閾値を自動的に調整し、変化するようにしてもよい。
【００３１】
ステップＳ１０６では、ステップＳ１０５で残り記録容量が閾値以下となったことから、システムコントローラＢ２は、ユーザに記録層の切替ポイントが近いことを通知するために警告動作を行う。ここでは、警告音をスピーカーＳＰ１から出力するとともに、文字信号発生回路Ｂ３に「記録層の切替ポイントが近づいています」という文字列を発生させ、記録再生データ処理回路Ｂ２で記録動画像と重畳し、液晶パネルＶ１に表示する（図４）。警告の方法は、これに限らず、警告音のスピーカーＳＰ１からの出力、上記文字列の表示の少なくともいずれか一方でよい。また、警告の方法として、例えば、記録可能時間や残り記憶容量の表示部分を点滅表示するようにしてもよい。警告動作後、ステップＳ１０７へと進む。
【００３２】
ステップＳ１０７では、記録停止操作が行われたか否かを判別する。記録停止操作は、記録動作状態で動画記録制御スイッチＳＷ１が押下された場合に有効であると判別される。記録停止動作が行われた場合にはステップＳ１０８へと進み、行われなかった場合にはステップＳ１０４へと戻る。
【００３３】
ステップＳ１０８では、システムコントローラＢ２が光学式ディスクドライブＤ１に記録停止を命令し、記録動作が終了となる。
【００３４】
以上詳細に説明したように、本実施の形態によれば、複数の記録層への動画像データの記録時に各々の記録層の残り記録容量又は／及び記録可能時間を表示し、また、データ記録中の記録層の残り記録容量又は／及び記録可能時間が予め設定された閾値よりも少なくなったときに、液晶パネルＶ１に警告を表示するので、ユーザが記録層の切替ポイントを意識しながら撮影を実行することができ、重要な撮影シーンに記録層の切替ポイントが重なることを防ぐことができる。この結果、データの記録中に記録媒体（光学式ディスク）の記録層の切り替えが起きることを回避することができる。
【００３５】
次に、本発明の第２の実施の形態について説明する。
【００３６】
第２の実施の形態にかかる記録装置の構成は、第１の実施の形態にかかるＤＶＤビデオカメラ１００と同様であるため、その説明は省略する。
【００３７】
図６は、図１のシステムコントローラＢ２で実行される処理を示すフローチャートである。
【００３８】
ステップＳ２０１では、記録開始操作が行われたか否かの判定を行う。記録開始操作は、記録停止状態で動画記録制御スイッチＳＷ１が押下された場合に有効であると判定される。記録開始動作が行われた場合にはステップＳ２０２に進み、行われなかった場合は再度記録開始動作が行われたか否かの判定を行う。
【００３９】
ステップＳ２０２では、今回記録する光学式ディスクに、予め設定されている閾値より残り記録容量の多い記録層があるか否かを判別する。ここで用いられる閾値は、記録装置が固定値として持っていてもよく、ユーザがメニュー画面等により設定可能であっても良い。また、システムコントローラＢ２が動画のビットレート等の動画像データの圧縮率に応じて閾値を自動的に調整し、変化するようにしてもよい。
【００４０】
ステップＳ２０２において、今回記録する光学式ディスクに、予め設定されている閾値より残り記録容量の多い記録層がない場合、前回動画像データが記録された記録層が最後に動画像データが記録される記録層となるので、記録層の切替ポイントは以降の処理に存在せず、今回動画像データが記録されている記録層は前回動画像データが記録された記録層と同じ記録層となるため、このままステップＳ２０５へと進む。
【００４１】
ステップＳ２０２において、今回記録する光学式ディスクに、予め設定されている閾値より残り記録容量の多い記録層がある場合、記録層の切替ポイントが以降の処理に存在することとなり、今回動画像データが記録されている記録層の変更を行うか否かを判断するため、ステップＳ２０３へと進む。
【００４２】
ステップＳ２０３では、最後に動画像データが記録された記録層に対して、残り記録容量の計算が行われ、ステップＳ２０４へと進む。
【００４３】
ステップＳ２０４では、ステップＳ２０３で計算された残り記録容量に対して、予め設定されている閾値との比較を行う。残り記録容量が閾値以下となる場合にはステップＳ２０６へ進み、残り記録容量が閾値を越える場合にはこのままステップＳ２０５へと進む。
【００４４】
ステップＳ２０５では、閾値より残り記録容量の多い記録層が既に存在しないか、又は存在しても最後に動画像データが記録された層に十分な記録容量が残っていることから、今回動画像データの記録を開始する記録層を最後に動画像データが記録された層に設定し、ステップＳ２０７へと進む。
【００４５】
ステップＳ２０６では、ステップＳ２０４で残り記録容量が閾値以下となっていることから、今回記録層に記録する動画像データに記録層の切替ポイントが含まれる可能性を低くするため、今回動画像データの記録を開始する記録層を閾値より残り記録容量の多い記録層に設定し、ステップＳ２０７へと進む。
【００４６】
ステップＳ２０７では、光学式ディスクに対して動画像データの記録が行われる。動画像データの記録が行われる記録層は、ステップＳ２０５又はステップＳ２０６によって設定された記録層である。光学式ディスクに記録されるデータは、撮像部Ｃ１によって撮像されカメラ映像信号処理回路Ｂ４によって処理された映像信号である。この映像信号は、記録再生データ処理回路Ｂ１によって動画像データに変換された後、光学式ディスクドライブＤ１へと入力され、光学式ディスクへと記録される。一定時間の記録が行われた後、ステップＳ２０８へと進む。動画像データのフォーマットは、ＭＰＥＧ２、ＭＰＥＧ４など様々な種類が考えられるが、本発明は記録されるフォーマットを限定するものではない。ディスクに記録されるデータは、映像入出力端子Ｌ１、音声入出力端子Ｌ２から入力された映像、音声信号をもとにした動画像データであってもよい。この場合、Ｌ１、Ｌ２から入力された信号は、記録再生データ処理回路Ｂ１によって動画像データに変換された後、光学式ディスクドライブＤ１へと入力され、光学式ディスクへと記録される。
【００４７】
ステップＳ２０８では、記録停止操作が行われたか否かの判別を行う。記録停止操作は、記録動作状態で動画記録制御スイッチＳＷ１が押下された場合に有効であると判定される。記録停止操作が行われた場合には、ステップＳ２０９へと進み、記録停止操作が行われなかった場合にはステップＳ２０７へと戻る。
【００４８】
ステップＳ２０９では、光学式ディスクドライブＤ１に記録停止が命令され、記録動作が終了となる。
【００４９】
以上詳細に説明したように、本実施の形態によれば、今回動画像データを記録中の記録層の残り記録容量又は／及び記録可能時間が閾値以下となった場合に、次回の動画像データの記録を十分な記録容量又は／及び記録可能時間の残っている記録層からスタートさせることで、光学式ディスクに記録される動画像データが記録層の切替ポイントを含む可能性を減少させることができる。この結果、データの記録中に記録媒体（光学式ディスク）の記録層の切り替えが起きることを回避することができる。
【００５０】
なお、本実施形態では、ディスクの残り記憶容量を閾値と比較して記録層を切り替えるか否かを判定していたが、残り記録可能時間を閾値と比較する構成でもよい。
【００５１】
上記実施の形態では、光学式ディスクに対して動画像データの記録が行われているが、データの種類は、動画像データに限定するものでなく、静止画データ、音声データ、ミュージックデータ、ドキュメントデータ等のデータであっても、本発明は適用することができる。
【００５２】
また、本発明の目的は、前述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【００５３】
この場合、記憶媒体から読み出されたプログラムコード自体が前述した各実施の形態の機能を実現することになり、そのプログラムコード及び該プログラムコードを記憶した記憶媒体は本発明を構成することになる。
【００５４】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００５５】
また、コンピュータが読み出したプログラムコードを実行することにより、前述した各実施の形態の機能が実現されるだけではなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００５６】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって前述した各実施の形態の機能が実現される場合も含まれる。
【図面の簡単な説明】
【００５７】
【図１】本発明の第１の実施の形態にかかる記録装置の構成を示す図である。
【図２】図１のシステムコントローラで実行される処理を示すフローチャートである。
【図３】（Ａ）は液晶パネルに表示される各層毎の残り記録容量の一例を示す図であり、（Ｂ）は液晶パネルに表示される各層毎の記録可能時間の一例を示す図である。
【図４】液晶パネルに表示される警告画面の一例を示す図である。
【図５】閾値を選択するためのメニュー画面の一例を示す図である。
【図６】第２の実施の形態に係る、システムコントローラで実行される処理を示すフローチャートである。
【符号の説明】
【００５８】
１００  ＤＶＤビデオカメラ
Ｂ１  記録再生データ処理回路
Ｂ２  システムコントローラ
Ｂ３  文字信号発生回路
Ｂ４  カメラ映像信号処理回路
Ｃ１  撮像部
Ｄ１  光学式ディスクドライブ部
Ｌ１  映像信号入出力端子
Ｌ２  音声信号入出力端子
ＳＰ１  スピーカー部
Ｖ１  液晶パネル
【図１】
2007134002.tif 000003
【図２】
2007134002.tif 000004
【図３】
2007134002.tif 000005
【図４】
2007134002.tif 000006
【図５】
2007134002.tif 000007
【図６】
2007134002.tif 000008